(57)【特許請求の範囲】
【請求項１】
音声ＩＰパケットを交換する音声ＩＰパケット交換装置において、
到来した音声ＩＰパケットを受信し音声ペイロードを抽出する、複数の音声ＩＰパケット受信分解手段と、
いずれかの上記音声ＩＰパケット受信分解手段によって抽出された音声ペイロードを、その音声ペイロードに係る音声ＩＰパケットの通信に供している送信側端末及び受信側端末間の接続情報に応じて、交換する音声ペイロード交換手段と、
上記音声ペイロード交換手段から音声ペイロードが与えられたときに、パケットヘッダを付加して、音声ＩＰパケットを構築して、受信側のＩＰ電話端末に向けて送信する、複数の音声ＩＰパケット構築送信手段と
を有することを特徴とする音声ＩＰパケット交換装置。
【請求項２】
到来したアナログ音声信号から、パケットヘッダを付加すれば音声ＩＰパケットになる音声ペイロードを形成して、上記音声ペイロード交換手段に入力させる、１又は複数のアナログ音声受信手段と、
上記音声ペイロード交換手段から音声ペイロードが与えられたときに、受信した音声ペイロード列をアナログ音声信号に変換して、受信側のアナログ電話端末に向けて送信する、１又は複数のアナログ音声送信手段と
をさらに有することを特徴とする請求項１に記載の音声ＩＰパケット交換装置。
【請求項３】
上記各音声ＩＰパケット受信分解手段又は上記アナログ音声受信手段は、上記音声ペイロードと共に、送信元端末を規定する送信元情報を上記音声ペイロード交換手段に与え、
上記音声ペイロード交換手段は、与えられた送信元情報に基づいて、該当する上記接続情報を認識する
ことを特徴とする請求項１又は２に記載の音声ＩＰパケット交換装置。
【発明の詳細な説明】
【技術分野】
【０００１】
本発明は音声ＩＰパケット交換装置に関し、例えば、ＩＰ−ＰＢＸ装置に適用し得るものである。
【背景技術】
【０００２】
種々の電話網が存在しており、複数の電話網に対応する音声パケット交換装置も存在する（特許文献１参照）。例えば、ＩＰ−ＰＢＸ装置も、内線網及び外線網間の音声データの交換を行う装置である。
【０００３】
図２は、従来のＩＰ−ＰＢＸ装置における内線から外線への音声信号の処理構成を示すブロック図である。以下では、従来のＩＰ−ＰＢＸ装置における、内線のＩＰ電話機１０から音声を入力する処理、アナログ電話機１２から音声を入力する処理、外線のＩＰ電話機１１へ音声を出力する処理、及び、外線のアナログ電話機１３へ音声を送出する処理を説明する。
【０００４】
（ｐ１）内線のＩＰ電話機１０から音声を入力する処理
内線のＩＰ電話機１０からの音声パケット（ＩＰパケット）は、音声パケット受信部２０に送られる。音声パケット受信部２０は、呼制御部４０によって登録された接続情報テーブル３０の接続情報を参照し、受信した音声パケットをどこに出力するかを決定する。出力先が、外線のＩＰ電話機１１であれば、受信した音声パケットをそのまま音声パケット送信部２１へ送り、外線のアナログ電話機１３であれば、音声パケットから音声データ部分を抽出し、アナログ音声送信部２３へ送る。
【０００５】
（ｐ２）内線のアナログ電話機１２から音声を入力する処理
内線のアナログ電話機１２からの音声信号は、アナログ音声受信部２２へ送られる。アナログ音声受信部２２は、Ａ／Ｄ変換処理や、一定時間ごとに切り出しパケット化する処理を行い、音声データを作成する。また、呼制御部４０によって登録された接続情報テーブル３０の接続情報を参照し、どこに音声パケット（ＩＰパケット）を出力するかを決定する。出力先が、外線のＩＰ電話機１１であれば、適切なパケットヘッダを付加し、音声パケットを作成してから音声パケット送信部２１へ送る。出力先が、外線のアナログ電話機１３であれば、パケットヘッダを付加することなく、音声データをそのままアナログ音声送信部２３へ送る。
【０００６】
（ｐ３）外線のＩＰ電話機１１へ音声を出力する処理
音声パケット送信部２１が受け取った音声パケット（ＩＰネットワーク）は、ＯＳ等のネットワーク処理を利用して、ネットワーク（ＩＰ網）へ送出され、ＩＰ電話機１１へ出力される。
【０００７】
（ｐ４）外線のアナログ電話機１３へ音声を送出する処理
アナログ音声送信部２３が受け取った音声データは、時系列に音声データを並べ、Ｄ／Ａ変換を行い、ＰＳＴＮ網へ送出され、アナログ電話機１３へ出力される。
【特許文献１】特開２００３−６０７１１号公報
【発明の開示】
【発明が解決しようとする課題】
【０００８】
しかしながら、従来のＩＰ−ＰＢＸ装置（音声ＩＰパケット交換装置）においては、呼転送のような、電話における付加サービスを行う際に、問題が生じる可能性がある。
【０００９】
図３は、このような課題の説明図である。図３（Ａ）は、呼転送前のＩＰ電話機１０からＩＰ電話機１１への音声信号の流れを示し、図３（Ｂ）は、呼転送後のアナログ電話機１２からＩＰ電話機１１への音声信号の流れを示している。すなわち、図３は、ＩＰ電話機１０とＩＰ電話機１１との間で通話を行っている途中に、通話を維持したまま、通話端末をＩＰ電話機１０からアナログ電話機１２に切り替えた呼転送サービスの場合を示している。
【００１０】
このような呼転送を行った場合、呼転送前においては、ＩＰ電話機１０が音声パケットのヘッダ付加動作を行い、ＩＰ電話機１０からの音声パケットが、音声パケット受信部２０、音声パケット送信部２１経由で対向するＩＰ電話機１１に送出される。一方、呼転送後においては、アナログ電話機１２から送られる音声データに対し、アナログ音声受信部２２がヘッダを付加して音声パケットを完成させ、そのような音声パケットが音声パケット送信部２１経由で対向するＩＰ電話機１１に送出される。
【００１１】
以上のように、呼転送前後では異なる場所でヘッダの付加動作が実行されるため、呼転送前後でヘッダの関連性がなくなる。具体的には、ヘッダに含まれるシーケンス番号、タイムスタンプなどの情報に不連続が生じる。また、ＩＰ−ＰＢＸ装置（音声ＩＰパケット交換装置）から見ると、ヘッダ付加動作を行うＩＰ電話機１０は、外部装置であるため、同期をとることが難しい。受け側のＩＰ電話機１１においては、ヘッダの不連続性のために、音声パケットにヘッダ異常が生じていると判断されてしまい、音声途切れなどの問題が発生する可能性がある。
【００１２】
そのため、送信元端末が切り替わるような場合などでも、対向する端末への音声ＩＰパケットの連続性を保証することができる音声ＩＰパケット交換装置が望まれている。
【課題を解決するための手段】
【００１３】
本発明は、音声ＩＰパケットを交換する音声ＩＰパケット交換装置において、到来した音声ＩＰパケットを受信し音声ペイロードを抽出する、複数の音声ＩＰパケット受信分解手段と、いずれかの上記音声ＩＰパケット受信分解手段によって抽出された音声ペイロードを、その音声ペイロードに係る音声ＩＰパケットの通信に供している送信側端末及び受信側端末間の接続情報に応じて、交換する音声ペイロード交換手段と、上記音声ペイロード交換手段から音声ペイロードが与えられたときに、パケットヘッダを付加して、音声ＩＰパケットを構築して、受信側のＩＰ電話端末に向けて送信する、複数の音声ＩＰパケット構築送信手段とを有することを特徴とする。
【発明の効果】
【００１４】
本発明によれば、音声ＩＰパケットが入力されても、音声ペイロードに戻して交換し、交換後の音声ペイロードにパケットヘッダを付加して音声ＩＰパケットを構築して送信するようにしたので、送信元端末が切り替わるようなことなどがあっても、出力される音声ＩＰパケットの連続性を保証することができる。
【発明を実施するための最良の形態】
【００１５】
（Ａ）実施形態
以下、本発明の音声ＩＰパケット交換装置を、ＩＰ−ＰＢＸ装置に適用した一実施形態を、図面を参照しながら説明する。
【００１６】
（Ａ−１）実施形態の構成
図１は、実施形態のＩＰ−ＰＢＸ装置における内線から外線への音声信号の処理構成を示すブロック図である。なお、図１では、シグナリングの処理構成を、呼制御部を除き、省略しているものである。
【００１７】
図１において、実施形態のＩＰ−ＰＢＸ装置１は、内線端末として、複数（図１では１個のみ示している）のＩＰ電話機１０、及び、複数（図１では１個のみ示している）のアナログ電話機１２を収容していると共に、ＩＰ電話機１１やアナログ電話機１３を通信可能な外線端末としているものである（言い換えると、通信可能な外線網がＩＰ網及びＰＳＴＮ網である）。
【００１８】
内線端末としてのＩＰ電話機１０は、固定電話機であってもアクセスポイント装置を介する携帯電話機であっても良く、ハードフォンとしてのＩＰ電話機であっても良く、ソフトフォンとしてのＩＰ電話機であっても良い。また、ケーブルを介して、ＩＰ−ＰＢＸ装置１とＩＰ電話機１０とが直結されているものであっても良く、ＬＡＮなどを介して、ＩＰ−ＰＢＸ装置１がＩＰ電話機１０を収容しているものであっても良い。すなわち、ＩＰ電話機１０は、ＩＰ−ＰＢＸ装置１との間で、音声信号をＩＰパケット（音声ＩＰパケット）で授受する電話機であれば良い。
【００１９】
内線端末としてのアナログ電話機１２も、固定電話機であってもアクセスポイント装置を介する携帯電話機であっても良い。また、ケーブルを介して、ＩＰ−ＰＢＸ装置１とアナログ電話機１２とが直結されているものであっても良く、ＬＡＮなどを介して、ＩＰ−ＰＢＸ装置１がアナログ電話機１２を収容しているものであっても良い。以下では、アナログ電話機１２は、アナログ音声信号を授受するものとして説明するが、パケット化されていないデジタル音声データを、ＩＰ−ＰＢＸ装置１との間で授受するものであっても良い（図１では音声ペイロードと表記している）。また、アナログ電話機１２は、従来からの狭帯域音声信号を取り扱うものであっても良く、近年、提案されている広帯域音声信号を取り扱うものであっても良い。
【００２０】
以上のように、実施形態のＩＰ−ＰＢＸ装置１は、音声ＩＰパケットを授受するＩＰ電話機１０と、非パケットの音声ペイロードを授受するアナログ電話機１２とを収容している。
【００２１】
図１において、実施形態のＩＰ−ＰＢＸ装置１は、機能的には、音声パケット受信部２０、音声パケット送信部２１、アナログ音声受信部２２、アナログ音声送信部２３、音声データ抽出部２４、パケットヘッダ付加部２５、音声ペイロード交換部２６、接続情報登録テーブル３０、ヘッダ情報保存テーブル３１及び呼制御部４０を有するものである。
【００２２】
音声パケット受信部２０は複数存在し、音声パケット受信部２０はそれぞれ、対応する内線のＩＰ電話機１０（対応は固定的でも通話毎であっても良い）が送出した音声ＩＰパケットを受信し、対応する音声データ抽出部２４に与えるものである。
【００２３】
音声パケット送信部２１は複数存在し、音声パケット送信部２１は、対応するパケットヘッダ付加部２５から与えられた音声ＩＰパケットを、ＩＰ網、従って、外線のＩＰ電話機１１に送信するものである。
【００２４】
アナログ音声受信部２２は複数存在し、アナログ音声受信部２２はそれぞれ、対応するアナログ電話機１２から与えられたアナログ音声信号を受信し、そのアナログ音声信号をＡ／Ｄ変換した後、一定時間ごとに切り出す処理を行い、処理後の音声信号（音声ペイロード）を、アナログ電話機１２を表す送信元情報と共に、音声ペイロード交換部２６に与える。すなわち、音声ＩＰパケットに挿入可能な音声ペイロードを作成し、アナログ電話機１２を表す送信元情報と共に、音声ペイロード交換部２６に与えるものである。ここで、アナログ音声受信部２２と内線のアナログ電話機１２とは１対１で対応するものであり、アナログ音声受信部２２は、送信元情報を付加することができる。なお、アナログ音声受信部２２は、Ａ／Ｄ変換後に予め定められている符号化方式に従った符号化処理を行い、その後に、一定時間ごとに切り出す処理を行うものであっても良い。また、Ａ／Ｄ変換された音声信号が入力される場合であれば、上述したその後の処理だけを実行するものであっても良い。
【００２５】
実施形態のアナログ音声受信部２２は、上述のように、送信元情報を付加した音声ペイロードを出力するものであって、従来のような音声ＩＰパケットを完成させることはない。
【００２６】
アナログ音声送信部２３は複数存在し、アナログ音声送信部２３はそれぞれ、音声ペイロード交換部２６から与えられたヘッダを含まない音声ペイロードを連続させてシーケンシャルな音声データにした後、Ｄ／Ａ変換を行い、得られたアナログ音声信号を、ＰＳＴＮ網を介して外線のアナログ電話機１３へ出力するものである。なお、Ｄ／Ａ変換の前に、予め定められている符号化方式に従った復号化処理を行うようにしても良い。また、ＰＳＴＮ網の種類によっては、シーケンシャルな音声データをそのまま出力するようにしても良い。
【００２７】
実施形態のアナログ音声送信部２３は、入力信号が音声ＩＰパケットではなく、音声ペイロードであるため、従来のものと異なり、ヘッダの除去を行うことはない。
【００２８】
音声データ抽出部２４は、対応する音声パケット受信部２０が受信した音声ＩＰパケットから音声データ部分（音声ペイロード）を抽出し、その音声ＩＰパケットの送信元情報と共に、音声ペイロード交換部２６に与えるものである。送信元情報は、ヘッダから抽出して得るものであっても良く、音声パケット受信部２０が受信したポート番号などから得るものであっても良い。また、音声パケット受信部２０及び音声データ抽出部２４の組と、内線のＩＰ電話機１０とを１対１で対応させ、それにより、送信元情報を付加できるようにしても良い。
【００２９】
パケットヘッダ付加部２５は、音声ペイロード交換部２６から与えられたヘッダを含まない音声ペイロードに対し、ヘッダ情報テーブル３１の格納内容を参照、操作しつつ、パケットヘッダを付加して音声ＩＰパケットを完成させ、対応する音声パケット送信部２１に与えるものである。
【００３０】
音声ペイロード交換部２６は、音声データ抽出部２４又はアナログ音声受信部２２から与えられた、送信元情報が付加された音声ペイロードを、接続情報登録テーブル３０の格納内容を参照しつつ、その送信元と通話中の対向端末に係るアナログ音声送信部２３又はパケットヘッダ付加部２５に交換出力するものである。なお、音声ペイロード交換部２６からの出力データは、送信元情報が除外された音声ペイロードだけとなっている。送信元情報を含めて、アナログ音声送信部２３又はパケットヘッダ付加部２５に出力し、送信元情報の除去を、アナログ音声送信部２３又はパケットヘッダ付加部２５の機能とするようにしても良い。
【００３１】
接続情報登録テーブル３０は、呼制御部４０の制御下で、通話状態にある（通話路が確立されている）内線端末及び外線端末の組情報（や内線端末同士の組情報）等を格納しているものである。言い換えると、接続情報登録テーブル３０は、音声ペイロード交換部２６が交換処理するに必要な交換のための情報を格納している。
【００３２】
図４は、接続情報登録テーブル３０の構成の一例の説明図である。図４に示す構成例は、各行において、通話状態にある２個の端末のうち、当該送信方向において、送信元端末を直接的又は間接的に表す第１の接続先情報と、送信先端末を直接的又は間接的に表す第２の接続先情報とを対応付けて記載するものとなっている。ここで、各行は、通話路が確立された際に情報が設定されるものである。なお、接続先情報は、端末の識別情報に代え、通話路上に介在している当該ＩＰ−ＰＢＸ装置１の構成要素（例えば、アナログ音声受信部２２、音声データ抽出部２４、アナログ音声送信部２３、パケットヘッダ付加部２５）の識別情報であっても良い。また、当該音声ペイロード交換部２６の入力ポートと出力ポートの番号の組み合わせを接続情報とするものであっても良い。さらに、図４に示す構成の第１の接続情報登録テーブルと、第２の接続先情報と、アナログ音声送信部２３又はパケットヘッダ付加部２５の識別情報とを対応付けた第２の接続情報登録テーブルとによって、接続情報登録テーブル３０を構成するようにしても良い。さらに、接続情報登録テーブル３０は音声信号の送信方向によらずに構成されているものであっても良い。
【００３３】
ヘッダ情報保存テーブル３１は、パケットヘッダ付加部２５が、音声ペイロードに付加するためのヘッダ情報（の全て又は一部）を格納しているものである。
【００３４】
図５は、ヘッダ情報保存テーブル３１の構成の一例の説明図である。図５に示す構成例は、各行がそれぞれ、パケットヘッダ付加部２５のそれぞれに対応しており、各行は、送信先端末の識別情報（ＩＰアドレスや電話番号などであっても良い）、ＳＳＲＣ（同期ソース識別子）、シーケンス番号、タイムスタンプ等を含んでいる。ここで、ＳＳＲＣは、音声ＩＣパケットを通話毎に区別するための値であり、１回の通話（セッション）で１つの固定値が継続使用される。シーケンス番号は、送られたパケットが何番目かを表す値で、１パケットを送信する毎に１インクリメントされるものである。タイムスタンプは、パケットが送信されるときに時刻を表しており、パケットの送信周期や音声符号化の種別などに応じて、増加する値が定まっているものである。ヘッダ情報保存テーブル３１における各行の設定（初期設定）は、例えば、呼制御部４０が実行し、その際に、送信先端末の識別情報やＳＳＲＣを書き込むと共に、シーケンス番号及びタイムスタンプ等を初期値にし、その後のシーケンス番号及びタイムスタンプ等の操作は、パケットヘッダ付加部２５が実行する。図５の構成例の場合、送信元情報が含まれていないが、各パケットヘッダ付加部２５が、当該パケットヘッダ付加部２５に固有の識別情報（ＩＰアドレスや電話番号などであっても良い）を送信元情報として付与するものであっても良い。
【００３５】
呼制御部４０は、通話路（セッション）の確立や、切断や、呼転送などの付加サービスなどの呼制御を行うものである。呼制御部４０は、例えば、収容する内線のＩＰ電話機１０や、外線のＩＰ網などを、ＳＩＰやＨ．３２３などの呼制御プロトコルを使って制御したり、収容する内線のアナログ電話機１２が外線のＰＳＴＮ網などをアナログ網用の呼制御プロトコルを使って制御したりするものである。
【００３６】
（Ａ−２）実施形態の動作
次に、実施形態のＩＰ−ＰＢＸ装置１の通話時動作を、内線のＩＰ電話機１０から音声を入力する処理、内線のアナログ電話機１２から音声を入力する処理、入力された音声の交換処理、外線のＩＰ電話機１１へ音声を出力する処理、及び、外線のアナログ電話機１３へ音声を出力する処理、に分けて説明する。
【００３７】
なお、シグナリング信号の送受信や呼制御処理そのものは、従来とほぼ同様であるので、その説明は省略する。但し、呼制御部４０は、新たな通話路（セッション）が確立された際に、その確立通話路に係る接続情報を接続情報登録テーブル３０に登録すると共に、外線側が、ＩＰ電話機１１であれば、ヘッダ情報保存テーブル３１にその確立通話路に係る行を設けて接続先情報やＳＳＲＣを設定する動作を行う。
【００３８】
（ｓ１）ＩＰ電話機１０より音声を入力するときの処理
ＩＰ電話機１０より送られた音声ＩＰパケットは、音声パケット受信部２０で受信されて、音声データ抽出部２４に与えられる。音声データ抽出部２４は、受信した音声ＩＰパケットから、音声データ部分（音声ペイロード）の抽出を行い、これに、ＩＰ電話機１０側から受信したという送信元情報を付加して音声ペイロード交換部２６に与える。
【００３９】
（ｓ２）アナログ電話機１２より音声を入力するときの処理
アナログ電話機１２からの音声（アナログ音声信号）は、アナログ音声受信部２２によって受信される。アナログ音声受信部２２は、Ａ／Ｄ変換処理や、一定時間ごとに音声を切り出し、音声ＩＰパケットにおける音声データ部分（音声ペイロード）を作成する。そして、アナログ音声受信部２２は、この音声ペイロードに、アナログ電話機側１２から受信したという送信元情報を付加して音声ペイロード交換部２６に与える。
【００４０】
（ｓ３）入力された音声の交換処理
音声ペイロード交換部２６は、音声データ抽出部２４又はアナログ音声受信部２１から、送信元情報が付加された音声ペイロードが与えられると、付加されている送信元情報を、第１の接続先情報としている接続情報登録テーブル３０の行を探索し、その行の第２の接続先情報が規定しているパケットヘッダ付加部２５又はアナログ音声送信部２３に、受信した音声ペイロードを出力する。
【００４１】
（ｓ４）外線のＩＰ電話機１１へ音声を出力する処理
パケットヘッダ付加部２５は、音声ペイロード交換部２６から音声ペイロードが与えられると、必要なヘッダ情報（全て又は一部のヘッダ情報）をヘッダ情報保存テーブル３１から取得し、音声ペイロードに取得したヘッダ情報を付加して音声ＩＰパケットを完成させて音声パケット送信部２１に与え、音声パケット送出部２１は、その音声ＩＰパケットを、ＩＰ網、従って、該当する外線のＩＰ電話機１１に送信する。
【００４２】
また、パケットヘッダ付加部２５は、ヘッダ情報保存テーブル３１の当該送信先に係る情報を次に送信するときのヘッダ情報に更新する。例えば、シーケンス番号を１インクリメントしたり、次の送信時刻に合うようにタイムスタンプを更新したりする。
【００４３】
（ｓ５）外線のアナログ電話機１３へ音声を出力する処理
アナログ音声送信部２３は、音声ペイロード交換部２６から音声ペイロード（音声データ）が与えられると、受け取った音声データを、時系列的な連続する音声データを並べた後、Ｄ／Ａ変換を行ってアナログ音声信号に変換し、それを、ＰＳＴＮ網を介して該当する外線のアナログ電話機１３へ出力する。
【００４４】
内線のＩＰ電話機１０からの音声は、上述したｓ１−ｓ３−ｓ４の処理を経て、外線のＩＰ電話機１１へ送信される（図６（Ａ）参照）。また、内線のアナログ電話機１２からの音声は、上述したｓ２−ｓ３−ｓ４の処理を経て、外線のＩＰ電話機１１へ送信される（図６（Ｂ）参照）。さらに、内線のＩＰ電話機１０からの音声は、上述したｓ１−ｓ３−ｓ５の処理を経て、外線のアナログ電話機１３へ送信される。さらにまた、内線のアナログ電話機１２からの音声は、上述したｓ２−ｓ３−ｓ５の処理を経て、外線のアナログ電話機１３へ送信される。
【００４５】
次に、内線のＩＰ電話機１０と外線のＩＰ電話機１１との通話状態を、内線のアナログ電話機１２０と外線のＩＰ電話機１１との通話状態へ切り替える呼転送時の音声経路の変化を簡単に説明する。
【００４６】
呼転送前においては、内線のＩＰ電話機１０からの音声は、音声パケット受信部２０−音声データ抽出部２４−音声ペイロード交換部２６−パケットヘッダ付加部２５−音声パケット送信部２１を経由して、対向する外線のＩＰ電話機１１に送出される。ここで、当該ＩＰ−ＰＢＸ装置１から出力される音声ＩＰパケットは、そのヘッダが、ヘッダ付加部２５によって付加されたものである。
【００４７】
呼転送手順は任意であって良いが、一例を挙げると、以下の通りである。例えば、内線側ユーザが呼転送を希望した際には、内線のＩＰ電話機１０の保留ボタンを押下し、オンフックする。このとき、呼制御部４０は、今まで外線のＩＰ電話機１１に対応付けられている、全ての内線端末における外線ボタンを点滅させる。その後、内線側ユーザが、内線のアナログ電話機１２をオフフックした後、点滅している外線ボタンを押下すると、呼制御部４０は、外線のＩＰ電話機１１との通話相手を、内線のアナログ電話機１２に切り替える。このとき、呼制御部４０は、例えば、接続情報登録テーブル３０における、第２の接続先情報がＩＰ電話機１１に係る行の第１の接続先情報を、ＩＰ電話機１０の識別情報からアナログ電話機１２の識別情報へ書き換える処理などを実行する。
【００４８】
このような呼転送後においては、内線のアナログ電話機１２からの音声は、アナログ音声受信部２２−音声ペイロード交換部２６−パケットヘッダ付加部２５−音声パケット送信部２１を経由して、対向する外線のＩＰ電話機１１に送出される。ここでも、当該ＩＰ−ＰＢＸ装置１から出力される音声ＩＰパケットは、そのヘッダが、ヘッダ付加部２５によって付加されたものである。
【００４９】
すなわち、呼転送の前後を問わず、対向する外線のＩＰ電話機１１に向けて送出されるＩＰ音声パケットのヘッダは、同一のパケットヘッダ付加部２５が、ヘッダ情報保存テーブル３１の同一行で管理されているヘッダ情報に基づいて付加したものである。
【００５０】
（Ａ−３）実施形態の効果
以上のように、上記実施形態によれば、内線端末からの入力音声が、ＩＰパケットであっても他の形式であっても、ヘッダがない音声データ本体の状態で交換を行い、出力先の外線がＩＰ電話機の場合に、ヘッダを付加して音声ＩＰパケット化するようにしたので、呼転送サービスなどによる内線端末の切り替えが発生した場合でも、外線のＩＰ電話機への音声ＩＰパケットのヘッダに連続性を保証でき、外線のＩＰ電話機が誤動作するようなことを防止することができる。
【００５１】
（Ｂ）他の実施形態
上記実施形態においては、アナログ音声受信部２２や音声データ抽出部２４が、送信元情報を付加して音声ペイロードを音声ペイロード交換部２６に与えるものを示したが、音声ペイロード交換部２６が、入力ポートなどから送信元を認識できる構成であれば、アナログ音声受信部２２や音声データ抽出部２４からは、単に、音声ペイロードを音声ペイロード交換部２６に与えるようにしても良い。
【００５２】
また、上記実施形態においては、内線側から外線側への方向について本発明を適用したものを示したが、外線側から内線側への逆方向に関しても、本発明を適用するようにしても良く、また、逆方向に関しては、従来（図２参照）と同様な構成を適用しても良い。
【００５３】
さらに、上記実施形態においては、内線側から外線側への方向について本発明を適用したものを示したが、内線側から内線側への音声経路も、音声パケット受信部、音声データ抽出部、音声ペイロード交換部、パケットヘッダ付加部及び音声パケット送信部という構成要素で経路を構成するようにしても良い。このようにした場合には、例えば、内線のＩＰ電話機が、パブリックなＩＰ網を介して、ＩＰ−ＰＢＸ装置に収容されている場合にも、本発明を適用することができる。
【００５４】
さらにまた、上記実施形態においては、内線端末として、ＩＰ電話機及びアナログ電話機を収容するＩＰ−ＰＢＸ装置に本発明を適用したものを示したが、ＩＰ電話機だけを収容するＩＰ−ＰＢＸ装置に本発明を適用することができる。
【００５５】
また、上記実施形態においては、本発明を、ＩＰ−ＰＢＸ装置に適用した場合を示したが、局用の音声ＩＰパケット交換装置や、家庭向けのＩＰ電話収容端末（例えばＶｏＩＰルータ）等の他の音声ＩＰパケット交換装置に本発明を適用することができる。
【００５６】
本発明は、音声チャネルでの伝送を対象としているが、音声チャネルでの伝送信号は音声信号に限定されないことは勿論である。但し、特許請求の範囲の表現では、他の種類の信号を含むが、「音声」という表現を用いている。
【図面の簡単な説明】
【００５７】
【図１】実施形態のＩＰ−ＰＢＸ装置における内線から外線への音声信号の処理構成を示すブロック図である。
【図２】従来のＩＰ−ＰＢＸ装置における内線から外線への音声信号の処理構成を示すブロック図である。
【図３】図２に示す従来のＩＰ−ＰＢＸ装置の課題の説明図である。
【図４】実施形態の接続情報登録テーブルの構成例を示す説明図である。
【図５】実施形態のヘッダ情報保存テーブルの構成例を示す説明図である。
【図６】実施形態の呼転送前後の音声信号の経路を示す説明図である。
【符号の説明】
【００５８】
１…ＩＰ−ＰＢＸ装置、１０…ＩＰ電話機、１２…アナログ電話機、２０…音声パケット受信部、２１…音声パケット送信部、２２…アナログ音声受信部、２３…アナログ音声送信部、２４…音声データ抽出部、２５…パケットヘッダ付加部、２６…音声ペイロード交換部、３０…接続情報登録テーブル、３１…ヘッダ情報保存テーブル、４０…呼制御部。
【図１】
0004492516.tif 000002
【図２】
0004492516.tif 000003
【図３】
0004492516.tif 000004
【図４】
0004492516.tif 000005
【図５】
0004492516.tif 000006
【図６】
0004492516.tif 000007